(57)【要約】【課題】  光走査装置にあって、ポリゴンユニットの交換時の作業性を向上し、交換後、画像品質が低下することを防止する。【解決手段】  光走査装置１６は、光学ケース４１内に、光源、ｆθレンズ４２ａ、４２ｂ、反射ミラー４３ａ、４３ｂ、４３ｃ、４３ｄ、４３ｅ、バレルトロイダルレンズ４４ａ、４４ｂなどの光学素子を設ける。また、光走査装置は、ポロリゴンユニット４５を備える。そのポリゴンユニットは、ポリゴンモータ４５ａ、そのポリゴンモータで回転して光源からの光ビームＬを偏向することにより被走査体（感光体）１１上を光走査するポリゴンミラー４５ｂ、４５ｃ、それらのポリゴンミラーを被うポリゴンケース４５ｄとで形成する。そのポリゴンユニットのポリゴンケースは、光走査路を密閉して光学ケース４１に外付けする。【選択図】        図３
2005189572.tif 000002
【特許請求の範囲】
【請求項１】
ポリゴンモータでポリゴンミラーを回転し、そのポリゴンミラーで光源からの光ビームを偏向して被走査体上を光走査する光走査装置において、
前記ポリゴンミラーを少なくとも被うポリゴンケースと、前記ポリゴンモータと、前記ポリゴンミラーとでポリゴンユニットを形成し、そのポリゴンユニットのポリゴンケースを、走査光路を密閉して光学ケースに外付けすることを特徴とする、光走査装置。
【請求項２】
前記ポリゴンケースを、弾性シール部材を介して前記光学ケースに外付けすることを特徴とする、請求項１に記載の光走査装置。
【請求項３】
前記ポリゴンケースを外付けして取り付けるポリゴンユニット部位のまわりに、通風路を設けることを特徴とする、請求項１または２に記載の光走査装置。
【請求項４】
前記通風路を通過する空気の流れを形成する通風ガイドを設けることを特徴とする、請求項３に記載の光走査装置。
【請求項５】
請求項１ないし４のいずれか１に記載の光走査装置を備え、その光走査装置で像担持体上に光書込みを行うことを特徴とする、画像形成装置。
【請求項６】
ポリゴンモータと、そのポリゴンモータで回転して光源からの光ビームを偏向することにより被走査体上を光走査するポリゴンミラーと、そのポリゴンミラーを少なくとも被うポリゴンケースとでポリゴンユニットを形成し、そのポリゴンユニットのポリゴンケースを、走査光路を密閉して光学ケースに外付けすることを特徴とする、光学ケースへのポリゴンユニット取付方法。
【発明の詳細な説明】
【技術分野】
【０００１】
この発明は、例えば、複写機、プリンタ、ファクシミリ、またはそれらの複合機などの、用紙・ＯＨＰフィルム等のシート材に画像を形成する画像形成装置に関する。そのような画像形成装置に備え、ポリゴンモータでポリゴンミラーを回転し、そのポリゴンミラーで光源からの光ビームを偏向して被走査体上を光走査する光走査装置に関する。および、ポリゴンモータと、そのポリゴンモータで回転して光源からの光ビームを偏向することにより被走査体上を光走査するポリゴンミラーと、そのポリゴンミラーを少なくとも被うポリゴンケースとでポリゴンユニットを形成し、そのポリゴンユニットのポリゴンケースを光学ケースに取り付ける、光学ケースへのポリゴンユニット取付方法に関する。
【背景技術】
【０００２】
従来の画像形成装置に備える光走査装置の組み立てを図６および図７に示す。図６に示すように、先ず、ｆθレンズ２ａ、２ｂ、反射ミラー３ａ、３ｂ、３ｃ、３ｄ、３ｅ、バレルトロイダル（ＢＴＬ）レンズ４ａ、４ｂなどの光学素子を、光学ケース１のベース板１ａの所定位置にそれぞれ取り付けてから、不図示のケース蓋を、ベース板１ａの下側に取り付ける。
【０００３】
次に、図７に示すように、ポリゴンモータ５ａやポリゴンミラー５ｂ、５ｃなどで構成するポリゴンユニット５、光学素子である光源６ａ、６ｂ等を、ベース板１ａの所定位置に取付部材５ｄ、７を用いてそれぞれ取り付ける。最後に、ベース板１ａにケース蓋１ｂを被せて光走査装置を形成する。
【０００４】
そのような光走査装置は、取付部材８を用いて、不図示の画像形成装置本体に取り付けていた。
【０００５】
そして、光走査時、図８および図９に示すように、ポリゴンユニット５のポリゴンモータ５ａでポリゴンミラー５ｂ、５ｃを回転しながら、黒の画像データに基づいて、光源６ａから照射する光ビームＬを上側のポリゴンミラー５ｂに当てて偏向し、その偏向後の光ビームＬで、ｆθレンズ２ａ、２ｂ、反射ミラー３ｂ、３ｃ、バレルトロイダルレンズ４ａ、反射ミラー３ｄを介して、一様に帯電した被走査体である感光体９上を光走査して、感光体９に静電潜像を形成する。
【０００６】
潜像形成後の感光体９には、不図示の現像装置で黒のトナーを付着し、黒のトナー画像を形成する。
【０００７】
その後、ポリゴンユニット５のポリゴンモータ５ａでポリゴンミラー５ｂ、５ｃを回転しながら、赤の画像データに基づいて、光源６ｂから照射する光ビームＬを下側のポリゴンミラー５ｃに当てて偏向し、その偏向後の光ビームＬで、ｆθレンズ２ａ、２ｂ、反射ミラー３ａ、バレルトロイダルレンズ４ｂ、反射ミラー３ｅを介して、一様に帯電した感光体９上を光走査して、感光体９に静電潜像を形成する。
【０００８】
潜像形成後の感光体９には、不図示の現像装置で赤のトナーを付着し、赤のトナー画像も形成して、感光体９表面に、黒と赤の２色のトナー画像を形成する。
【０００９】
その黒と赤のトナー画像を、感光体９の下側に送り込んだシート材に、転写装置によって転写し、シート材に画像を形成していた。
【特許文献１】特開平８―１９４１４３号公報
【特許文献２】特開平１０―４７７３９号公報
【特許文献３】特開２０００―３２１５１９号公報
【特許文献４】特開２０００―３３００５５号公報
【特許文献５】特開２００１―９１８８７号公報
【特許文献６】特開２００２―６２５０３号公報
【特許文献７】特開２００２―７２１１６号公報
【発明の開示】
【発明が解決しようとする課題】
【００１０】
しかし、そのような従来の光走査装置にあって、ポリゴンモータ５ａによってポリゴンミラー５ｂ、５ｃを高速で回転するため、画像形成装置の寿命前にポリゴンユニット５に故障等を発生し、設置場所において、ポリゴンユニット５の交換が必要となるが、その交換時、光学ケース１のケース蓋１ｂを開ける必要があるため、交換時の作業性が悪い問題があった。また、交換時、光学ケース１のケース蓋１ｂを開けると、ゴミや埃が光学ケース１内に進入し、交換後、それらのゴミや埃により、画像品質が低下する問題があった。
【００１１】
そこで、この発明の第１の目的は、光走査装置にあって、ポリゴンユニットの交換時の作業性を向上し、交換後、画像品質が低下することを防止することにある。
【００１２】
ところで、上述した光走査装置において、仮に、ポリゴンユニット５を光学ケース１に直接外付けし、連続して静電潜像を形成する場合、ポリゴンモータ５ａから発生する熱により、ポリゴンユニット５が膨張し、熱膨張したポリゴンユニット５が光学ケース１に突き当たり、ポリゴンユニット５に大きな応力が発生して、ポリゴンユニット５の位置がずれるおそれがある。そして、ポリゴンユニット５の位置がずれた場合には、正確な静電潜像を形成することができず、それにより画像品質が低下するおそれがある。
【００１３】
そこで、この発明の第２の目的は、光走査装置にあって、画像品質が低下することを一層確実に防止することにある。
【００１４】
ところで、従来の光走査装置において、連続して静電潜像を形成するとき、ポリゴンミラー５ｂ、５ｃを高速回転するので、ポリゴンモ−タ５ａが高温の熱源となる。そして、その熱源となったポリゴンモータ５ａの熱によってポリゴンミラー５ｂ、５ｃなどの光学素子が熱膨張して歪むので、画像品質が低下する問題があった。
【００１５】
その問題を解決するためには、ポリゴンユニット５を冷却することが必要となるが、ポリゴンユニット５は光学ケース１内に設けられているため、ポリゴンユニット５を直接、冷却することが困難であった。
【００１６】
そこで、この発明の第３の目的は、光走査装置にあって、ポリゴンユニットの冷却効率を向上して、画像品質が低下することを防止することにある。
【００１７】
この発明の第４の目的は、光走査装置にあって、ポリゴンユニットの冷却効率を一層向上して、画像品質が低下することを一層確実に防止することにある。
【００１８】
この発明の第５の目的は、第１から第４の目的を達成した光走査装置を備える画像形成装置を提供することにある。
【００１９】
この発明の第６の目的は、ポリゴンユニットの交換時の作業性を向上し、交換後、画像品質が低下することを防止した、光学ケースへのポリゴンユニット取付方法を提供することにある。
【課題を解決するための手段】
【００２０】
そのため、請求項１に記載の発明は、上述した第１の目的を達成すべく、
ポリゴンモータでポリゴンミラーを回転し、そのポリゴンミラーで光源からの光ビームを偏向して被走査体上を光走査する光走査装置において、
ポリゴンミラーを少なくとも被う例えばキャップ状のポリゴンケースと、ポリゴンモータと、ポリゴンミラーとでポリゴンユニットを形成し、そのポリゴンユニットのポリゴンケースを、走査光路を密閉して光学ケースに外付けすることを特徴とする。
【００２１】
請求項２に記載の発明は、上述した第２の目的も達成すべく、
請求項１に記載の光走査装置において、
ポリゴンケースを弾性シール部材を介して光学ケースに外付けすることを特徴とする。
【００２２】
請求項３に記載の発明は、上述した第３の目的も達成すべく、
請求項１または２に記載の光走査装置において、
ポリゴンケースを外付けして取り付けるポリゴンユニット部位のまわりに、通風路を設けることを特徴とする。
【００２３】
請求項４に記載の発明は、上述した第４の目的も達成すべく、
請求項３に記載の光走査装置において、
通風路を通過する空気の流れを形成する通風ガイドを設けることを特徴とする。
【００２４】
請求項５に記載の発明は、上述した第５の目的も達成すべく、
画像形成装置において、
請求項１ないし４のいずれか１に記載の光走査装置を備え、その光走査装置で像担持体上に光書込みを行うことを特徴とする。
【００２５】
請求項６に記載の発明は、上述した第６の目的も達成すべく、
光学ケースへのポリゴンユニット取付方法において、
ポリゴンモータと、そのポリゴンモータで回転して光源からの光ビームを偏向することにより被走査体上を光走査するポリゴンミラーと、そのポリゴンミラーを少なくとも被うポリゴンケースとでポリゴンユニットを形成し、そのポリゴンユニットのポリゴンケースを、走査光路を密閉して光学ケースに外付けすることを特徴とする。
【発明の効果】
【００２６】
請求項１に係る発明によれば、光走査装置にあって、ポリゴンミラーを少なくとも被うポリゴンケースと、ポリゴンモータと、ポリゴンミラーとでポリゴンユニットを形成し、そのポリゴンユニットのポリゴンケースを、走査光路を密閉して光学ケースに外付けするので、設置場所においてポリゴンユニットを交換するとき、光学ケースを開けることを不要にできるから、ポリゴンユニットの交換時の作業性を向上することができる。
【００２７】
加えて、交換時、上述したように、光学ケースを開けることを不要にできるので、光学ケース内にゴミや埃が進入することを防止できるから、交換後、画像品質が低下することを防止することができる。
【００２８】
さらに加えて、ポリゴンケースで少なくともポリゴンミラーを被い、ポリゴンユニットのポリゴンケースを、光走査路を密閉して光学ケースに外付けするので、光走査路上にゴミや埃が入ることを防止して、光走査装置の防塵性を向上することができる。
【００２９】
加えて、ポリゴンユニットのポリゴンケースを、光学ケースに外付けするので、光学ケース内にポリゴンユニットを配置する場合に比し、ポリゴンユニットの冷却効率を向上することができる。
【００３０】
請求項２に係る発明によれば、光走査装置にあって、ポリゴンケースを弾性シール部材を介して光学ケースに外付けするので、連続して画像形成するとき、ポリゴンモータから発生する熱により、ポリゴンユニットが膨張しても、弾性シール部材によって緩衝できるから、熱膨張したポリゴンユニットが光学ケースに突き当たり、それによりポリゴンユニットが位置ずれすることを防止できるので、画像品質が低下することを一層確実に防止することができる。
【００３１】
請求項３に係る発明によれば、光走査装置にあって、ポリゴンケースを外付けして取り付けるポリゴンユニット部位のまわりに、通風路を設けるので、連続して静電潜像を形成するとき、通風路に風を通して、その風により、ポリゴンユニットを冷却することができるから、ポリゴンユニットの冷却効率を向上して、ポリゴンミラーなどの光学素子が熱によって歪むことを防止でき、それにより、画像品質が低下することを一層確実に防止することができる。
【００３２】
請求項４に係る発明によれば、光走査装置にあって、通風路を通過する空気の流れを形成する通風ガイドを設けるので、通風時、その通風ガイドによって風をスムーズに流すことができるから、ポリゴンユニットを一層効率的に冷却することができ、ポリゴンユニットの冷却効率を一層向上して、ポリゴンミラーが熱によって歪むことをより一層確実に防止でき、それにより、画像品質が低下することをより一層確実に防止することができる。
【００３３】
請求項５に係る発明によれば、請求項１ないし４のいずれか１に記載の光走査装置を備え、その光走査装置で像担持体上に光書込みを行うので、上述した効果を有する光走査装置を備える画像形成装置を提供することができる。
【００３４】
請求項５に係る発明によれば、ポリゴンモータと、そのポリゴンモータで回転して光源からの光ビームを偏向することにより被走査体上を光走査するポリゴンミラーと、そのポリゴンミラーを少なくとも被うポリゴンケースとでポリゴンユニットを形成し、そのポリゴンユニットのポリゴンケースを、走査光路を密閉して光学ケースに外付けするので、設置場所において、ポリゴンユニットを交換するとき、光学ケースを開けることを不要にできるから、ポリゴンユニットの交換時の作業性を向上する、光学ケースへのポリゴンユニット取付方法を提供することができる。
【００３５】
加えて、交換時、上述したように、光学ケースを開けることを不要にできるので、光学ケース内にゴミや埃が進入することを防止できるから、交換後、画像品質が低下することを防止できる、光学ケースへのポリゴンユニット取付方法を提供することができる。
【発明を実施するための最良の形態】
【００３６】
以下、図面を参照しつつ、この発明の実施の最良形態につき説明する。
図１には、この発明に係る黒赤２色のレーザ複写機（画像形成装置）における内部機構の全体概略構成を示す。
【００３７】
図中符号１０は、複写機装置本体である。複写機装置本体１０内の中央やや上側には、ドラム状の感光体（被走査体）１１を設ける。
【００３８】
その感光体１１の図中上側には、第１帯電装置１２ａを設ける。そして、感光体１１のまわりには、その第１帯電装置１２ａから図中矢印Ａで示す感光体１１の回転方向に沿って、順に、黒の現像装置１３ａ、第２帯電装置１２ｂ、赤の現像装置１３ｂ、転写・搬送装置１４、クリーニング装置１５などを配置する。
【００３９】
感光体１１の上部には、光走査装置１６を設ける。光走査装置１６は、後述するように、不図示の光学素子などを備える。
【００４０】
転写・搬送装置１４の図中左側には、定着装置１７を設ける。定着装置１７には、ヒータを内蔵する定着ローラ１８と、その定着ローラ１８に下方から押し当てる加圧ローラ１９とを設ける。
【００４１】
また、装置本体１０内の上部には、原稿読取装置２０を設ける。その原稿読取装置２０は、光源ａ、複数のミラーｂ、結像レンズｃ、ＣＣＤ等のイメージセンサｄ等を備える。
【００４２】
一方、装置本体１０内の下部には、両面ユニット２２と給紙カセット２３を上下二段に設ける。両面ユニット２２および給紙カセット２３からは、各々、感光体１１の下方へとのびる給紙路２４を設ける。両面ユニット２２へは、定着装置１７出口からのびる排紙路２５途中から分岐して反転路２６を形成する。
【００４３】
そのような装置本体１０の上面には、コンタクトガラス２７を設ける。そのコンタクトガラス２７を被うように、装置本体１０上には、自動原稿給紙装置２８を開閉自在に取り付ける。
【００４４】
ところで、装置本体１０の右側面には、手差しシート材を給紙路２４に案内する手差しトレイ２９を開閉自在に設ける。一方、装置本体１０の左側面には、画像形成後のシート材をスタックする排出トレイ３０を設ける。
【００４５】
そのような装置本体１０は、給紙テーブル３１上に載置する。給紙テーブル３１内には、給紙カセット２３を多段に備える。
【００４６】
さていま、このレーザ複写機を用いてコピーを取るときは、自動原稿給紙装置２８に原稿をセットし、または自動原稿給紙装置２８を開いてコンタクトガラス２７上に直接原稿をセットする。そして、不図示のスタートスイッチを押し、自動原稿給紙装置２８を駆動してコンタクトガラス２７上に搬送した原稿を、またはあらかじめコンタクトガラス２７上に原稿をセットしたときは、そのセットしてある原稿を、原稿読取装置２０で色別に読み取って黒と赤の電気的なデジタル画像信号に変換する。
【００４７】
同時に、適宜の給紙ローラ３３を回転し、装置本体１０および給紙テーブル３１内に多段に備える複数の給紙カセット２３中の対応する給紙カセット２３内から、用紙・ＯＨＰフィルム等のシート材を繰り出し、給紙路２４に入れて搬送ローラ３４で搬送し、レジストローラ３５に突き当てて止める。
【００４８】
または、手差し給紙部にある給紙ローラ３６を回転して、開いた手差しトレイ２９上にセットした手差しシート材を給紙路２４へと入れて、同じくレジストローラ３５に突き当てて止める。
【００４９】
そして、感光体１１の回転にタイミングを合わせて該レジストローラ３５を回転し、感光体１１の下方へと送り込む。
【００５０】
他方、不図示のスタートスイッチを押したとき、同時に感光体１１を図中矢印Ａで示す時計方向に回転する。そして、その感光体１１の回転とともに、まず第１帯電装置１２ａで表面を一様に帯電し、次いで上述した原稿読取装置２０で読み取った読取り内容に応じた黒のデジタル画像信号に基づき光ビームＬを照射して光走査装置１６で黒の光書込みを行い、感光体１１の表面に静電潜像を形成し、そののち黒の現像装置１３ａで黒のトナーを付着してその静電潜像を可視像化した黒のトナー画像を形成する。
【００５１】
続いて、第２帯電装置１２ｂにより一様に帯電し、上述した原稿読取装置２０で読み取った読取り内容に応じた赤のデジタル画像信号に基づき光ビームＬを照射して光走査装置１６で赤の光書込みを行い、カラー原稿の赤成分に対応した静電潜像を上記黒のトナー画像に重ねて形成し、そののち赤の現像装置１３ｂで赤のトナーを付着してその静電潜像を可視像化する。これにより、感光体１１上に、黒と赤のトナー画像とからなる２色のトナー画像を形成する。
【００５２】
それから、上述したごとく感光体１１の下方へと送り込んだシート材に、転写・搬送装置１４でその２色のトナー画像を一括転写する。画像転写後の感光体１１は、クリーニング装置１５で残留トナーを除去して表面を清掃し、次の同様な画像形成に備える。
【００５３】
一方、画像転写後のシート材は、転写・搬送装置１４で搬送して定着装置１７に入れ、定着ローラ１８と加圧ローラ１９とで熱と圧力とを加えて転写画像を定着する。その後、排紙路２５を通して排出トレイ３０に排出する。
【００５４】
シート材の両面に画像を記録するときには、画像形成後のシート材を、排紙路２５から反転路２６に入れ、両面ユニット２２で反転して再び給紙路２４に入れ、シート材の裏面にも、別途画像を形成して後、定着装置１７で定着してから排出トレイ３０に排出する。
【００５５】
さて、そのようなレーザ複写機における光走査装置１６の平面図を図２に、側面図を図３に示す。
【００５６】
その光走査装置１６を組み立てるには、例えば先ず、ｆθレンズ４２ａ、４２ｂ、第１走査光路を形成する、反射ミラー４３ａ、４３ｂ、４３ｃ、バレルトロイダル（ＢＴＬ）レンズ４４ａ、第２光走査路を形成する、反射ミラー４３ｄ、４３ｅ、バレルトロイダルレンズ４４ｂなどの光学素子を、光学ケース４１の台形状のベース板４１ａの所定位置にそれぞれ取り付ける。
【００５７】
また、そのベース板４１ａには、ベース板４１ａの外縁に沿って側壁４１ｅを設ける。ただし、側壁４１ｅの一部は、図２中、左側の中央より内側に向かってほぼ直角に折り曲げ、その後、右下斜め方向に向かって再び折り曲げて形成する。
【００５８】
そのようにベース板４１ａに側壁４１ｅを形成して、ベース板４１ａの角の１つが、側壁４１ｅから突出するようにする。
【００５９】
その側壁４１ｅから突出した個所のベース板４１ａには、円形の開口４１ｃを設ける。
【００６０】
一方、ベース板４１ａの折り曲げた側壁４１ｅの一部には、矩形状の開口４１ｆを設ける。その開口４１ｆは、防音ガラス４１ｇで塞ぐ。
【００６１】
さて、ポリゴンモータ４５ａと、そのポリゴンモータ４５ａで回転するポリゴンミラー４５ｂ、４５ｃと、それらのポリゴンミラー４５ｂ、４５ｃを被うポリゴンケース４５ｄとでポリゴンユニット４５を形成する。
【００６２】
ポリゴンケース４５ｄは、例えばキャップ状をしている。また、ポリゴンケース４５ｄの側壁の一部は、例えば図４に示すように防音ガラス４５ｅで形成する。
【００６３】
次に、ポリゴンモータ４５ａのモータケースを、上述したベース板４１ａの開口４１ｃにはめ込んで後、ポリゴンユニット４５を例えば３本のネジである図２に示す取付部材４５ｆを用いて光学ケース４１のベース板４１ａに取り付け、ポリゴンユニット４５のポリゴンケース４５ｄを光学ケース４１に外付けする。
【００６４】
なお、そのポリゴンユニット４５の取付時、例えば図４に示すように、発泡ポリウレタン等の材料で形成し、遮光性を有する弾性シール部材４６を介して、光学ケース４１に、ポリゴンユニット４５のポリゴンケース４５ｄを外付けすることが好ましい。
【００６５】
また、図２に示すように、例えばレーザダイオード（ＬＤ）などの光源４７ａ、４７ｂを、ベース板４１ａの所定位置に不図示の取付部材を用いてそれぞれ取り付ける。
【００６６】
最後に、ベース板４１ａに対応した形状の図３に示すケース蓋４１ｈ、４１ｉを、ベース板４１ａにそれぞれ被せて光走査装置１６を形成する。
【００６７】
そのような図２および図３に示す光走査装置１６は、光走査時、ポリゴンユニット４５のポリゴンモータ４５ａで、ポリゴンミラー４５ｂ、４５ｃを回転しながら、黒の画像データに基づいて、光源４７ａから照射する光ビームＬを上側のポリゴンミラー４５ｂに当てて偏向し、その偏向後の光ビームＬで、ｆθレンズ４２ａ、４２ｂ、反射ミラー４３ａ、４３ｂ、バレルトロイダルレンズ４４ａ、反射ミラー４３ｃを介して、一様に帯電した感光体１１上を光走査して、感光体１１に静電潜像を形成する。
【００６８】
潜像形成後の感光体１１には、図１に示す黒の現像装置１３ａで黒のトナーを付着し、黒のトナー画像を形成する。
【００６９】
その後、図２および図３に示す光走査装置１６は、ポリゴンユニット４５のポリゴンモータ４５ａでポリゴンミラー４５ｂ、４５ｃを回転しながら、赤の画像データに基づいて、光源４７ｂから照射する光ビームＬを下側のポリゴンミラー４５ｃに当てて偏向し、その偏向後の光ビームＬで、ｆθレンズ４２ａ、４２ｂ、反射ミラー４３ｄ、バレルトロイダルレンズ４４ｂ、反射ミラー４３ｅを介して、一様に帯電した感光体１１上を走査して、感光体１１に静電潜像を形成する。
【００７０】
潜像形成後の感光体１１には、図１に示す赤の現像装置１３ｂで赤のトナーを付着し、赤のトナー画像も形成して、感光体１１表面に、黒と赤の２色のトナー画像を形成する。
【００７１】
その後、上述したように、黒と赤の２色のトナー画像を感光体１１の下側に送り込んだシート材に、転写・搬送装置１４によって一括転写し、シート材に画像を形成する。
【００７２】
以上説明したように、図２および図３に示す光走査装置１６は、黒および赤の光ビームＬの光走査路をそれぞれ密閉して、ポリゴンユニット４５のポリゴンケース４５ｄを光学ケース４１に外付けする。
【００７３】
さて、光走査装置１６の別の例の一部を図５に示す。なお、図５中、図２または図３に示すものと同様のものには、同一の符号を付して説明を省略する。
【００７４】
図示する光走査装置１６において、例えば側壁４１ｅから突出した個所のベース板４１ａの上面、およびポリゴンユニット４５のポリゴンケース４５ｄの上面には、ガイド板である通風ガイド５０、５１をそれぞれ設けて、ポリゴンケース４５ｄを外付けして取り付けるポリゴンユニット４５部位のまわりに、通風路５２を設ける。
【００７５】
また、例えばベース板４１ａの端には、通風ファン５３を設ける。
【００７６】
そして、そのような光走査装置１６の光走査時、通風ファン５３を作動して空気を送り、通風ガイド５０、５１によって、通風路５２を通過する空気の流れを形成して、ポリゴンユニット４５を冷却する。
【００７７】
なお、上述した例では、図１に示す黒赤２色の画像形成装置に備える光走査装置１６の例で説明したが、この発明はそれに限られず、単色の画像形成装置に備える光走査装置に適用することもできる。
【図面の簡単な説明】
【００７８】
【図１】この発明による画像形成装置の一例であるレーザ複写機の概略構成図である。
【図２】そのレーザ複写機が備える光走査装置の平面図である。
【図３】その光走査装置の側面図である。
【図４】その光走査装置の部分拡大斜視図である。
【図５】その光走査装置の別の例の一部拡大図である。
【図６】従来の光走査装置の組み立ての説明図である。
【図７】同様の図である。
【図８】その光走査装置の組み立て後の平面図である。
【図９】その光走査装置の側面図である。
【符号の説明】
【００７９】
１１    感光体（被走査体）
１６    光走査装置
４１    光学ケース
４５    ポリゴンユニット
４５ａ  ポリゴンモータ
４５ｂ、４５ｃ  ポリゴンミラー
４５ｄ  ポリゴンケース
４６    弾性シール部材
４７ａ、４７ｂ    光源
５０、５１    通風ガイド
５２    通路路
【図１】
2005189572.tif 000003
【図２】
2005189572.tif 000004
【図３】
2005189572.tif 000005
【図４】
2005189572.tif 000006
【図５】
2005189572.tif 000007
【図６】
2005189572.tif 000008
【図７】
2005189572.tif 000009
【図８】
2005189572.tif 000010
【図９】
2005189572.tif 000011